(57)【要約】【課題】聴取者とは反対方向に放音面を向けてスピーカーを配置した場合であっても、放音面を聴取者に対して向けて配置した場合と同様の音響特性を実現できるようにする。【解決手段】半楕円体１の一焦点位置にスピーカー２ａを配し、スピーカー２ａから半楕円体１の内壁面方向に音声を放音する。当該音声は、半楕円体１の内壁面に反射され、半楕円体１の他方の焦点に集中して、半楕円体１の外部に放音され、当該他方の焦点位置に仮想音源３が形成される。【選択図】図１
2010268018.tif 000002
【特許請求の範囲】
【請求項１】
内壁断面が楕円の一部を成す反射体の一焦点位置に、前記反射体の内壁面と対向するように放音面を向けてスピーカーを配するスピーカー装置。
【請求項２】
請求項１に記載のスピーカー装置であって、
前記反射体は、楕円体の一部を成すものであり、
前記スピーカーは、点音源のものであるスピーカー装置。
【請求項３】
請求項１に記載のスピーカー装置であって、
前記反射体は、楕円柱の一部を成すものであり、
前記スピーカーは、線音源のものであるスピーカー装置。
【請求項４】
請求項１に記載のスピーカー装置であって、
前記反射体を、透明素材で形成したスピーカー装置。
【請求項５】
内壁断面が楕円の一部を成す反射体の一焦点位置に、前記反射体の内壁面と対向するように放音面を向けてスピーカーを配するスピーカー装置を、前記反射体の他の焦点位置が、筐体から突出するようにして設けてなる電子機器。
【請求項６】
請求項５に記載の電子機器であって、
前記反射体は、楕円体の一部を成すものであり、
前記スピーカーは、点音源のものである電子機器。
【請求項７】
請求項５に記載の電子機器であって、
前記反射体は、楕円柱の一部を成すものであり、
前記スピーカーは、線音源のものである電子機器。
【請求項８】
請求項５に記載の電子機器であって、
前記反射体を、透明素材で形成した電子機器。
【請求項９】
請求項５に記載の電子機器であって、
前記スピーカー装置を、前記筐体側に収納可能な構成を有する電子機器。
【発明の詳細な説明】
【技術分野】
【０００１】
この発明は、放音音声を反射するための反射体を有するスピーカー装置、当該スピーカー装置を設けた電子機器に関する。
【背景技術】
【０００２】
例えば、後に記す特許文献１には、スピーカーからの音を斜め後方に放音させ、スピーカーキャビネットの背面板側に枢着した反射板により聴取者側に反射音を放音させるように構成したスピーカー装置が開示されている。
【０００３】
この特許文献１に記載されたスピーカー装置によれば、音源位置をよりユーザーから離れるようにし、音圧による圧迫感を低減させると共に奥行き感を出し、高域まで周波数特性を伸ばした再生音場を形成することができるようにされる。
【先行技術文献】
【特許文献】
【０００４】
【特許文献１】特開２００３−２３６９２号公報
【発明の概要】
【発明が解決しようとする課題】
【０００５】
ところで、テレビ受像機、パーソナルコンピュータ、携帯電話端末、ゲーム機など、表示画面を備えた種々の電子機器においては、表示画面の大型化に伴い、スピーカーの配置位置の確保が難しくなってきている。
【０００６】
例えば、テレビ受像機においては、スピーカーをテレビ受像機の背面（表示画面の後ろ側）に設けるようにすることが行われている。この場合、スピーカーから放音される音声を、表示画面の下側方向や横側方向に、あるいは、隙間を通して表示画面の前方へ導くようにしているものもある。
【０００７】
しかし、スピーカーを表示画面の後ろ側に設けるようにした場合には、スピーカーから放音された音声は、種々のものに反射したり、種々の障害物の影響を受けたりして聴取者の耳元に届くまでに、劣化してしまっている場合がある。このため、良好な再生音場を形成できない場合があると考えられる。
【０００８】
そこで、例えば、テレビ受像機の背面にスピーカーを設けた場合に、上述した特許文献１に記載の技術のように予め反射板を設けることによって、背面に設けられた放音音声を当該反射板に反射させて聴取者に届けるようにすることが考えられる。
【０００９】
しかし、反射板に反射した音声について、想定通りに忠実にコントロールすることは難しく、原音に対して周波数特性や指向性特性などが変化したものとなってしまう場合があると考えられる。
【００１０】
また、電子機器のデザイン性と言う側面からスピーカーの配置位置を考慮した場合、ユーザーからスピーカーが配置されていると認識されない位置に配置することによって、電子機器のデザイン性の向上を図りたいとする要求もある。
【００１１】
以上の点に鑑み、この発明は、聴取者とは反対方向に放音面を向けてスピーカーを配置した場合であっても、放音面を聴取者に対して向けて配置した場合と同様の音響特性を実現できるようにすることを目的とする。
【課題を解決するための手段】
【００１２】
上記課題を解決するため、請求項１に記載の発明のスピーカー装置は、
内壁断面が楕円の一部を成す反射体の一焦点位置に、前記反射体の内壁面と対向するように放音面を向けてスピーカーを配して構成する。
【００１３】
この請求項１に記載の発明のスピーカー装置によれば、内壁断面が楕円の一部を成す反射体の一焦点位置に配されるスピーカーからは、当該反射体の当該内壁面方向に音声が放音される。
【００１４】
そして、スピーカーから放音された音声は、内壁断面が楕円の一部を成す当該反射体の当該内壁面に反射して、当該内壁面における他方の焦点に集中するようにされ、当該他方の焦点位置に仮想音源（仮想音像）が形成するようにされる。
【００１５】
これにより、反射体の内壁面方向に音声を放音するスピーカーから放音された音声は、反射体の内壁面に反射して、他方の焦点から当該スピーカーの放音方向と逆方向に音声が放音するようにされる。
【００１６】
この場合、スピーカーから放音された音声と同じ音響特性（周波数特性、位相特性、指向性特性）の仮想音源を、他方の焦点位置に放音方向を当該スピーカーの放音方向とは逆向きにして形成することができるようにされる。
【００１７】
したがって、聴取者とは反対方向に放音面を向けてスピーカーを配置した場合であっても、聴取者に聴取される再生音声の音響特性が、当該スピーカーの放音面を聴取者に対して向けて配置した場合と同様となるようにされる。
【発明の効果】
【００１８】
この発明によれば、聴取者とは反対方向に放音面を向けてスピーカーを配置した場合であっても、放音面を聴取者に対して向けて配置した場合と同様の音響特性を実現することができる。
【図面の簡単な説明】
【００１９】
【図１】この発明の第１の実施の形態のスピーカー装置を説明するための図である。
【図２】楕円の方程式と楕円の焦点座標とを説明するための図である。
【図３】楕円の性質を説明するための図である。
【図４】、図１に示したスピーカー装置を、半楕円体１の長軸に沿って切断するようにした場合の切断面を示した図である。
【図５】図１、図２に示したスピーカー２ａについて説明するための図である。
【図６】スピーカー２ａの放音面をリスナー（聴取者）方向に向けて用いる場合と、この第１の実施の形態のスピーカー装置を用いる場合とを比較して説明する図である。
【図７】第１の実施の形態のスピーカー装置の変形例を説明するための図である。
【図８】この発明の第２の実施の形態のスピーカー装置を説明するための図である。
【図９】図８Ｂに示したスピーカー装置の矢印ａで示した位置で切断した場合の断面を示した図である。
【図１０】半楕円柱１１にＬＥＤを設けるようにした場合の一例を説明するための図である。
【図１１】ノート型パーソナルコンピュータ２０に、第１、第２の実施の形態のスピーカー装置を搭載した場合の例を説明するための図である。
【図１２】テレビ受像機に、第１の実施の形態のスピーカー装置を搭載した場合の例を説明するための図である。
【図１３】テレビ受像機に、第２の実施の形態のスピーカー装置を搭載した場合の例を説明するための図である。
【図１４】半楕円柱１１を電子器機器（例えばテレビ受像機３０）に対して可動可能に設けた場合の例を説明するための図である。
【図１５】点音源のスピーカーと線音源のスピーカーとの両方を用いたスピーカー装置の構成例を説明するための図である。
【図１６】点音源のスピーカーと線音源のスピーカーとの両方を用いたスピーカー装置の構成例を説明するための図である。
【図１７】携帯電話端末に、第１の実施の形態のスピーカー装置を搭載した場合の例を説明するための図である。
【発明を実施するための形態】
【００２０】
以下、図を参照しながら、この発明のスピーカー装置、当該スピーカー装置を用いた電子器機器の一実施の形態について説明する。
【００２１】
［実施の形態の概要］
この発明は、楕円が長軸上に２つの焦点を有することに着目して構成したスピーカー装置に関するものであり、スピーカーからの放音音声を反射させるための反射体であって、内壁断面が楕円の一部を成す反射体を設ける。
【００２２】
そして、内壁断面が楕円の一部を成す当該反射体の一方の焦点位置に、放音面が反射体の内壁と対向するようにしてスピーカーを配置する。つまり、反射体の内壁に向って音声を放音するようにスピーカーを反射体の一方の焦点位置に設ける。
【００２３】
これにより、当該スピーカーから放音された音声は、反射体の内壁面に反射され、他方の焦点位置に集中するように進み、さらに反射体の内壁面から離れる方向に進むようになる。つまり、内壁断面が楕円の一部を成す当該反射体の他方の焦点位置に仮想音源が形成される。
【００２４】
この場合、当該反射体の他方の焦点位置に形成される仮想音源からの音声は、一方の焦点位置に配置されるスピーカーから放音された音声と同じ音響特性（周波数特性、位相特性、指向特性）を有するものである。したがって、スピーカーから放音された音声と同じ音響特性の音声を、当該スピーカーの放音方向とは逆の方向に位置する聴取者が聴取することができるようにされる。
【００２５】
そして、以下においては、点音源のスピーカーを用いた場合と、線音源のスピーカーを用いた場合とに分けて、この発明によるスピーカー装置について具体的に説明し、この後、電子機器への具体的な応用例について説明する。
【００２６】
［第１の実施の形態（点音源のスピーカーを用いた場合）］
図１は、第１の実施の形態のスピーカー装置を説明するための図である。この第１の実施の形態のスピーカー装置は、大きく分けると、音声の反射体としての半楕円体１と、スピーカー部２とからなっている。
【００２７】
図１において、図１Ａは、半楕円体１の表面（曲面）側から見た場合の図であり、図１Ｂは、半楕円体１の切断面（開口部）側から見た場合の図である。また、詳しくは後述するが、この第１の実施の形態のスピーカー装置は、点音源のスピーカーを用いた場合の例である。
【００２８】
半楕円体１は、図１に示したように、楕円を三次元に拡張した楕円体を、その中心軸を通るように半分に切断して形成した立体である。具体的には、例えば、ラグビーボールのような楕円体を、その中心軸を通るように半分に切断するようにして形成した立体であり、内側は空洞となっているものである。
【００２９】
また、半楕円体１は、音波を反射することができる素材、例えば、金属、樹脂、合成樹脂、木材、ゴム、ガラスなどによって形成されるものである。そして、半楕円体１は、例えば、数ミリ程度の厚みを有するものである。
【００３０】
スピーカー部２は、スピーカー２ａと、このスピーカー２ａを収納した筐体（スピーカー筐体）２ｂとからなるものである。筐体２ｂの上面には、開口部が設けられており、当該開口部からスピーカー２ａの振動板部分（コーン部分）が露呈するようにスピーカー２ａが筐体２ｂに対して取り付けられた構成となっている。
【００３１】
そして、図１に示すように、スピーカー部２は、半楕円体１に対して、スピーカー２ａの振動板部分が半楕円体１の内壁面に対向するようにされる。そして、スピーカー２ａの振動板部分の中心が、半楕円体１の一焦点位置（一方の焦点位置）に一致するようにして半楕円体１に固定される。
【００３２】
上述もしたように、楕円と言う図形は、２つの焦点を持っている。そして、楕円は、例えば、一焦点位置（一方の焦点位置）から音声を放音すると、放音された当該音声は、楕円の内壁に反射して、他方の焦点位置に集中すると言う性質を持っている。
【００３３】
このため、図１において、スピーカー２ａから放音された音声は、半楕円体１の内壁面に反射され、他方の焦点に集中する。これにより、図１Ａ、Ｂにおいて、他方の焦点位置に仮想音源３として示したように、仮想音源が形成される。
【００３４】
したがって、図１に示した第１の実施の形態のスピーカー装置の場合、スピーカー２ａから放音された音声が、あたかも仮想音源３から放音された音声のように聴取することができるようにされる。
【００３５】
図２は、楕円の方程式と楕円の焦点座標とを説明するための図である。また、図３は、楕円の性質を説明するための図である。
【００３６】
正楕円（楕円の標準形）の方程式は、図２の（１）式に示すように、２次式で表現されるものである。そして、楕円の焦点は、図２の（２）式に示したように、正側と負側とに１つずつ存在する。
【００３７】
したがって、楕円は、図３に示すように、負側に焦点ＦＡを有し、正側に焦点ＦＢを有する構成となっている。そして、楕円は、図３において、楕円内の折れ線で示したように、焦点ＦＡから放射された例えば音声が楕円内壁で反射された場合、全て他方の焦点ＦＢに結ぶ（集中する）という特性を持っているのである。
【００３８】
この場合、図３に示したように、焦点ＦＡから種々の方向に放音された音声が、楕円体の内壁に反射して焦点ＦＢに到達するまでの距離は、全て等しい距離となる。すなわち、図３Ａ、図３Ｂに示したように、音声の反射経路の一例を示した各折れ線ｒ１、ｒ２、ｒ３のそれぞれの長さは同じになる。
【００３９】
図４は、上述した楕円の性質を適用したこの第１の実施の形態のスピーカー装置について説明するために図であり、図１に示したスピーカー装置を、半楕円体１の長軸に沿ってスピーカー装置を半分に切断するようにした場合の断面を示した図である。また、図５は、この第１の実施の形態のスピーカー装置でも用いられるスピーカー２ａについて説明するための図である。
【００４０】
図５に示すように、スピーカー２ａは、比較的に小口径のスピーカーである。すなわち、スピーカー２ａは、音を出す部分（振動板部分（コーン部））の面積が、波長に対して小さいものであり、点音源を構成する。そして、点音源から放音された音声は、球面状に広がると言う特性を持っている。
【００４１】
そして、図４に示すように、焦点ＦＡと焦点ＦＢとは半楕円体１における２つの焦点である。このため、上述もしたように、スピーカー２ａは、その振動板部分を半楕円体１の内壁面に対向させるようにすると共に、当該振動板部分の中心を一方の焦点ＦＡに一致させるように配置されている。
【００４２】
この場合に、スピーカー２ａから放音された音声は、図４において折れ線で示したように、半楕円体１の内壁面に反射して他方の焦点である焦点ＦＢに集中する。そして、図４において点線矢印で示したように、当該焦点ＦＢから音声が半楕円体１の外側に向って放音される。すなわち、スピーカー２ａから放音された音声の放音方向が転換される。
【００４３】
この場合、図３を用いて説明し、また、図４にも示したように、焦点ＦＡに位置するスピーカー２ａから放音された音声が、半楕円体１の内壁面のどの位置において反射されても、他方の焦点ＦＢに到達するまでの距離は同じである。
【００４４】
このため、スピーカー２ａから放音された音声は、位相差を生じさせること無く、他方の焦点ＦＢに集中し、その後、半楕円体１の外側に向って進むことになる。また、反射効率の良い素材によって半楕円体１を構成することによって、スピーカー２ａから放音された音声の周波数特性が変化することもない。
【００４５】
すなわち、スピーカー２ａから放音された音声と、これが半楕円体１の内壁面に反射して、焦点ＦＢに集中して放音された音声（仮想音源３から放音するようにされた音声）とは、周波数特性、位相特性、指向特性が同じものである。換言すれば、実スピーカー２ａに対して、周波数特性、位相特性、指向特性が同一である仮想音源３が形成されるのである。
【００４６】
図６は、スピーカー２ａの放音面をリスナー（聴取者）方向に向けて用いる場合と、この第１の実施の形態のスピーカー装置を用いる場合とを比較して説明する図である。
【００４７】
図６Ａに示すように、スピーカー２ａの放音面をリスナーに向けて用いるようにした場合には、スピーカー２ａから放音された音声は、直接にリスナーの耳に到達する。
【００４８】
これに対して、図６Ｂに示すように、この第１の実施の形態のスピーカー装置の場合には、スピーカー２ａから放音された音声は、半楕円体１の内壁面に反射し、他方の焦点ＦＢに集中して、半楕円体１の外部に放音されたものがリスナーの耳に到達する。
【００４９】
そして、図６Ｂに示したこの第１の実施の形態のスピーカー装置の場合、他方の焦点ＦＢ側に設けられるようにされる仮想音源３から放音される音声は、実スピーカー２ａから放音された音声と周波数特性、位相特性、指向特性が同じものである。
【００５０】
このため、図６Ｂに示したこの第１の実施の形態のスピーカー装置の場合においても、図６Ａに示した場合と同様に、スピーカー２ａの放音面をリスナーに向けて配置した場合とほぼ同品質（同じ音響特性）の音声を聴取することができるようにされる。
【００５１】
このように、この第１の実施の形態のスピーカー装置の場合、実スピーカー２ａの放音方向とは逆向きに音声を放音させるようにすることができる。このため、スピーカーの設置位置に制限があり、リスナーが位置する方向とは反対の方向に放音面を向けてスピーカーを設置しなければならない種々の電子機器に適用することができる。
【００５２】
そして、この第１の実施の形態のスピーカー装置により、リスナー方向とは逆向きにスピーカーの放音方向を向けるようにしても、スピーカーから放音された同品質の音声を、半楕円体１によりリスナー方向に放音することができるようにされる。
【００５３】
［第１の実施の形態のスピーカー装置の変形例］
図７は、この第１の実施の形態のスピーカー装置の変形例を説明するための図である。図７Ａ、Ｂ、Ｃ、Ｄのそれぞれは、図１〜図６を用いて説明した第１の実施の形態のスピーカー装置と同様に、半楕円体とスピーカー部とからなるものであるが、半楕円体の形状が異なるものである。
【００５４】
なお、図７Ａ、Ｂ、Ｃ、Ｄのそれぞれは、図４に示したスピーカー装置の場合と同様に、スピーカー装置を、半楕円体の長軸に沿って半分に切断するようにした場合の切断面を示した図である。
【００５５】
そして、図７Ａは、図４に示したスピーカー装置と同様の構成を有するものであり、半楕円体１は、楕円体をその中心軸を含む面で半分に切断した形状（楕円体の半分の形状）を有するものである。この図７Ａに示した形状が、この第１の実施の形態のスピーカー装置の基本的な形状となる。
【００５６】
しかし、第１の実施の形態のスピーカー装置を搭載する電子機器の構造等の影響を受けたり、また、当該スピーカー装置を部屋などに直接設置する場合には、その設置場所の状態の影響を受けたりすることにより、半楕円体の形状を変える必要がある場合がある。
【００５７】
例えば、図７Ｂに示すように、当該スピーカー装置を搭載する電機機器において、その筐体４の影響を受ける場合には、スピーカー２ａを配置する側を短くした半楕円体１ａを用いるようにすることができる。
【００５８】
また、図７Ｃに示すように、図７Ｂの場合とは逆に、仮想音源３側を短くした半楕円体１ｂを用いるようにすることもできる。また、図７Ｄに示すように、スピーカー２ａ側を長くした半楕円体１ｃを用いるようにすることもできる。
【００５９】
ここで重要なことは、音声を反射するための半楕円体は、正確に半楕円体である必要は無いと言うことである。すなわち、スピーカーを配置した側とは反対の焦点位置に十分な仮想音源を形成することができる範囲で半楕円体の周囲の長さを短くすることが可能である。また、仮想音源からの音声の放音を妨げない範囲で半楕円体の周囲の長さを長くすることが可能である。
【００６０】
また、上述もしたように、半楕円体１は、種々の材料で形成することが可能であるが、例えば、ガラス、アクリル樹脂、ポリカーボネイト樹脂などの透明な素材を用いて形成することにより、そのデザイン性を向上させることができる。
【００６１】
［第２の実施の形態（線音源のスピーカーを用いた場合）］
図８は、第２の実施の形態のスピーカー装置を説明するための図である。この第２の実施の形態のスピーカー装置は、図８Ａに示すように、音を出す部分（振動板部分（コーン部））が、点音源が線状に集合することによって、ある程度の長さを持った状態になっている線音源のスピーカー１２ａを用いるものである。
【００６２】
そして、この第２の実施の形態において、スピーカー１２ａは、振動板部分が外部に露呈するようにされて、筐体１２ｂに固定されることにより、図８Ａに示したように、スピーカー部１２を構成するようにされている。
【００６３】
そして、この第２の実施の形態のスピーカー装置は、線音源のスピーカー１２ａを用いるようにしたために、音声の反射体として、線音源のスピーカー１２ａの全部を覆うことができるようにされた半楕円柱１１を用いる構成となっている。
【００６４】
すなわち、この第２の実施の形態のスピーカー装置は、図８Ｂに示すように、大きく分けると、音声の反射体としての半楕円柱１１と、スピーカー部１２とからなっているものである。
【００６５】
半楕円柱１１は、図８Ｂに示すように、少なくともスピーカー１２の筐体１２ｂの長手方向の長さと同じ高さｈを有し、高さｈと直交する方向で切断したときの断面が、半楕円となる形状のものである。なお、この場合の半楕円は、図８Ｂからも分るように、楕円をその長径に沿って切断するようにした場合の半楕円である。
【００６６】
この第２の実施の形態のスピーカー装置においても、図８Ｂに示したように、半楕円柱１１の内側は空洞となっている。すなわち、半楕円柱１１は、例えば、雨樋に似た形状のものである。また、この第２の実施の形態の半楕円柱１１も、音波を反射することができる素材、例えば、金属、樹脂、合成樹脂、木材、ゴム、ガラスなどによって形成されるものである。そして、半楕円体１１は、例えば、数ミリ程度の厚みを有するものである。
【００６７】
この第２の実施の形態のスピーカー装置の場合にも、スピーカー部１２は、半楕円柱１１に対して、その振動板部分が半楕円柱１１の内壁面に対向するようにされる。また、図８Ｂに示したように、スピーカー１２は、スピーカー１２ａの振動板部分の長手方向に沿う中心線が、半楕円柱１１の高さｈ方向に沿って存在する一焦点位置（一方の焦点位置）に一致するようにして半楕円柱１１に固定される。
【００６８】
そして、半楕円柱１１において、スピーカー部１２が設けられた反対側にも高さｈ方向に沿って線状の他方の焦点が存在している。このため、線音源のスピーカー１２ａから放音された音声は、半楕円柱１１の内壁面に反射して、他方の焦点に集中し、この他方の焦点部分に、図８Ｂにおいて符号１３が示すように、仮想音源（仮想音像）が形成される。
【００６９】
ここで、半楕円柱１１の場合の実音源と仮想音源との関係について具体的に説明する。図９は、図８Ｂに示したスピーカー装置において、矢印ａで示した位置で切断するようにした場合の断面を示した図である。
【００７０】
図９に示すように、半楕円柱１１の断面は長径に沿って切断された半楕円の形状となっている。したがって、第１の実施の形態のスピーカー装置の場合と同様に、当該長径上には、２つの焦点ＦＡ、ＦＢが存在する。
【００７１】
そして、この第２の実施の形態のスピーカー装置の場合においても、図９に示すように、半楕円柱１１の一方の焦点ＦＡ部分には、実音源としてのスピーカー１２ａが配置される。したがって、スピーカー１２ａから放音された音声は、図９に示すように半楕円柱１１の内壁面に反射して、他方の焦点ＦＢに集中して、図９において点線矢印で示したように、半楕円柱１１の外部に放音するようにされる。
【００７２】
このように、線音源としてのスピーカー１２ａを用いるようにした場合には、図８Ｂ、図９に示したように、スピーカー１２ａを、その全体を覆う半楕円柱１１の一方の焦点位置に、放音面が半楕円柱１１の内壁面に対向するように配置する。これにより、図８Ｂ、図９に示したように、他方の焦点位置に仮想音源を形成することができるようにされる。
【００７３】
したがって、線音源のスピーカー１２ａを用いた場合であっても、反射体としての半楕円柱を用いることによって、実音源であるスピーカー１２ａの放音方向とは反対の方向に、スピーカー１２ａから放音された音声を放音することができる。
【００７４】
このため、この第２の実施の形態のスピーカー装置の場合にも、スピーカーの設置位置に制限があり、リスナーが位置する方向とは反対の方向に放音面を向けてスピーカーを設置しなければならない種々の電子機器に適用することができる。
【００７５】
そして、この第２の実施の形態のスピーカー装置の場合にも、第１の実施の形態のスピーカーの場合と同様に、リスナー方向とは逆向きにスピーカーの放音方向を向けるようにしても、スピーカーから放音された同品質の音声を、半楕円柱１１によりリスナー方向に放音することができるようにされる。
【００７６】
［第２の実施の形態のスピーカー装置の変形例］
この第２の実施の形態のスピーカー装置の場合にも、図７を用いて説明した第１の実施の形態のスピーカー装置の場合と同様に、半楕円柱１１の外周部分の長さを、当該スピーカー装置を設ける部分の構造等に応じて、適宜の長さとすることが可能である。
【００７７】
したがって、この第２の実施の形態のスピーカー装置の場合においても、図７Ｂ、Ｃに示した場合と同様に、半楕円柱１１の形状を、その外周が短くなるようにすることが可能である。また、図７Ｄに信号した場合と同様に、半楕円柱１１の形状を、その外周が長くなるようにすることが可能である。
【００７８】
すなわち、この第２の実施の形態のスピーカー装置の場合にも、スピーカー１２ａを配置した側とは反対の焦点位置に十分な仮想音源を形成することができる範囲で半楕円柱の周囲の長さを短くすることが可能である。また、仮想音源からの音声の放音を妨げない範囲で半楕円柱の周囲の長さを長くすることが可能である。
【００７９】
また、この第２の実施の形態のスピーカー装置の場合にも、半楕円柱１１を例えば、ガラス、アクリル樹脂、ポリカーボネイト樹脂などの透明な素材を用いて形成することにより、そのデザイン性を向上させることができる。
【００８０】
そして、透明な素材で半楕円柱１１を形成するようにした場合には、例えば、ＬＥＤ（Light Emitting Diode）等の発光素子を用いることによって、半楕円柱１１を光らせるようにし、デザイン性を向上させることができる。
【００８１】
図１０は、半楕円柱１１にＬＥＤを設けるようにした場合の一例を説明するための図である。図１０に示しように、例えば、スピーカー部１２が設けられる側の半楕円柱１１の側面にＬＥＤ１４ａ、１４ｂ、１４ｃを設けるようにする。
【００８２】
ＬＥＤ１４ａ、１４ｂ、１４ｃを、スピーカー部１２が設けられる側に設けるのは、その位置が、直接にリスナーによって見ることができない位置となるからである。
【００８３】
そして、電源回路１５によって、ＬＥＤ１４ａ、１４ｂ、１４ｃのそれぞれに電源が供給され、そのそれぞれが発光するようにされる。この場合に、図示しない制御部からの制御信号ＣＴＬによって、例えば、再生音声の出力レベルに応じた電力をＬＥＤ１４ａ、１４ｂ、１４ｃのそれぞれに供給するように制御する。
【００８４】
これにより、ＬＥＤ１４ａ、１４ｂ、１４ｃのそれぞれは、再生される音声の出力レベルが高い部分では強く発光し、出力レベルが低い部分では弱く発光すると言うように、制御することができる。
【００８５】
そして、図１０に示した半楕円柱１１は、透明な素材で形成されているので、ＬＥＤ１４ａ、１４ｂ、１４ｃが発光することにより、半楕円柱１１自体が発光しているように、リスナーが感じることができるようにされる。
【００８６】
なお、ＬＥＤ１４ａ、１４ｂ、１４ｃのそれぞれは、同一の色の光を発光させるものであってもよいし、異なる色の光を発光させるものであってもよい。また、半楕円柱に設けるＬＥＤの数は、３つに限るものではなく、任意の数のＬＥＤを設けるようにすることができる。
【００８７】
また、図１０に示した例の場合には、ＬＥＤは、スピーカー部１２が設けられる側の半楕円柱１１の側面に設けるようにしたが、これに限るものではない。その他にも、半楕円柱の上端部や下端部に設けるようにすることも可能である。
【００８８】
なお、上述した第１の実施の形態のスピーカー装置の場合にも、半楕円体１を透明の素材で形成した場合には、ＬＥＤなどの発光素子を半楕円体１の適宜の位置に設けて発光させるようにすることができる。
【００８９】
［第３の実施の形態（スピーカー装置を設けた電子機器の具体例）］
次に、第３の実施の形態として、上述した第１、第２の実施の形態のスピーカー装置を搭載した電子機器の具体例について説明する。
【００９０】
［ノート型パーソナルコンピュータへの適用例］
図１１は、ノート型パーソナルコンピュータ２０に、上述した第１、第２の実施の形態のスピーカー装置を搭載した場合の例を説明するための図である。
【００９１】
ノート型パーソナルコンピュータは、小型化、薄型化、軽量化が進められた結果、スピーカーを搭載する位置、搭載可能なスピーカーの大きさなどが大きく制限されるようになってきている。
【００９２】
ノート型パーソナルコンピュータの場合、その使用時においては、ディスプレイの表示画面の反対側の面をユーザーが見ることは無い。そこで、ノート型パーソナルコンピュータにおいて、ディスプレイの表示画面の反対側の面にスピーカーを設け、このスピーカーに対して、半楕円体や半楕円柱を設けるようにしている。
【００９３】
図１１Ａ、Ｂは、第１の実施の形態のスピーカー装置を適用した場合のノート型パーソナルコンピュータを説明するための図である。図１１Ａに示す例では、点音源としてのスピーカー２ａを、図１１Ａにおいて点線で示したように、ディスプレイの裏側であって、当該ディスプレイの左右に、その放音面をディスプレイの表示画面とは反対側に向けるようにして設けている。
【００９４】
また、図１１Ｂに示す例では、点音源としてのスピーカー２ａを、図１１Ｂにおいて点線で示したように、ディスプレイの裏側であって、当該ディスプレイの上端部分に、その放音面をディスプレイの表示画面とは反対側に向けるようにして設けている。
【００９５】
そして、それらのスピーカー２ａに対して、図１に示した態様で半楕円体１を設けるようにしている。すなわち、スピーカー２ａの振動板部分の中心を半楕円体１の一方の焦点に一致するようにして、半楕円体１を設けるようにしている。
【００９６】
これにより、図１１Ａ、Ｂに示したノート型パーソナルコンピュータ２０の場合には、図１〜図７を用いて説明したように、スピーカー２ａから放音された音声は、半楕円体１の内壁面に反射され、他方の焦点に集中して、半楕円体１の外部に放音するようにされる。
【００９７】
この場合、スピーカー２ａから放音された音声と、半楕円体１で反射され、他方の焦点部分を仮想音源として放音するようにされた音声とは、周波数特性、位相特性、指向特性が同じであり、ユーザーは良好に再生音声を聴取することができるようにされる。
【００９８】
図１１Ｃ、Ｄは、第２の実施の形態のスピーカー装置を適用した場合のノート型パーソナルコンピュータを説明するための図である。図１１Ｃに示す例では、線音源としてのスピーカー１２ａを、図１１Ｃにおいて点線で示したように、ディスプレイの裏側であって、当該ディスプレイの左右に、その放音面をディスプレイの表示画面とは反対側に向けるようにして設けている。
【００９９】
また、図１１Ｄに示す例では、線音源としてのスピーカー１２ａを、図１１Ｄにおいて点線で示したように、ディスプレイの裏側であって、当該ディスプレイの上端部分に、その放音面をディスプレイの表示画面とは反対側に向けるようにして設けている。
【０１００】
そして、それらのスピーカー１２ａに対して、図８Ｂ、図９に示した態様で半楕円柱１１を設けるようにしている。すなわち、スピーカー１２ａの振動板部分の長手方向に沿う中心線を半楕円柱１１の一方の焦点位置に一致するようにして、半楕円柱１１を設けるようにしている。
【０１０１】
これにより、図１１Ｃ、Ｄに示したノート型パーソナルコンピュータ２０の場合には、図８、図９を用いて説明したように、スピーカー１２ａから放音された音声は、半楕円柱１１の内壁面に反射され、他方の焦点位置に集中して、半楕円柱１１の外部に放音するようにされる。
【０１０２】
この場合、スピーカー１２ａから放音された音声と、半楕円柱１１で反射され、他方の焦点部分を仮想音源として放音するようにされた音声とは、周波数特性、位相特性、指向特性が同じであり、ユーザーは良好に再生音声を聴取することができるようにされる。
【０１０３】
［テレビ受像機への適用例１］
図１２は、テレビ受像機に、上述した第１の実施の形態のスピーカー装置を搭載した場合の例を説明するための図である。
【０１０４】
テレビ受像機の場合にも、近年の大画面化、薄型化が進められた結果、スピーカーを搭載する位置、搭載可能なスピーカーの大きさなどが大きく制限されるようになってきている。
【０１０５】
そして、テレビ受像機の場合にも、その使用時においては、ディスプレイの表示画面の反対側の面をユーザーが見ることは無い。そこで、図１２Ａに示すように、テレビ受像機３０の場合にも、ディスプレイの表示画面の反対側の面にスピーカー２ａを設け、このスピーカー２ａに対して、半楕円体１を設けるようにしている。
【０１０６】
図１２Ｂに示す例では、点音源としてのスピーカー２ａを、図１２Ｂにおいて点線で示したように、ディスプレイの裏側であって、当該ディスプレイの左側と右側とに、その放音面をディスプレイの表示画面とは反対側に向けるようにして設けている。
【０１０７】
また、図１２Ｃに示す例では、点音源としてのスピーカー２ａを、図１２Ｃにおいて点線で示したように、ディスプレイの裏側であって、当該ディスプレイの上端部分に、その放音面をディスプレイの表示画面とは反対側に向けるようにして設けている。
【０１０８】
また、図１２Ｄに示す例では、点音源としてのスピーカー２ａを、図１２Ｄにおいて点線で示したように、ディスプレイの裏側であって、当該ディスプレイの下端部分に、その放音面をディスプレイの表示画面とは反対側に向けるようにして設けている。
【０１０９】
そして、それらのスピーカー２ａに対して、図１に示した態様で半楕円体１Ｌ（左チャンネル用）、１Ｒ（右チャンネル用）を設けるようにしている。すなわち、スピーカー２ａの振動板部分の中心を半楕円体１Ｌ、１Ｒの一方の焦点に一致するようにして、半楕円体１Ｌ、１Ｒを設けるようにしている。
【０１１０】
これにより、図１２Ｂ、Ｃ、Ｄに示したテレビ受信機３０の場合には、図１〜図７を用いて説明したように、スピーカー２ａから放音された音声は、半楕円体１Ｌ、１Ｒの内壁面に反射される。そして、反射された音声は、他方の焦点に集中して、半楕円体１Ｌ、１Ｒの外部に放音するようにされる。
【０１１１】
この場合、スピーカー２ａから放音された音声と、半楕円体１Ｌ、１Ｒで反射され、他方の焦点部分を仮想音源として放音するようにされた音声とは、周波数特性、位相特性、指向特性が同じである。これにより、ユーザーは良好に再生音声を聴取することができるようにされる。
【０１１２】
また、いわゆるサラウンド音声を再生する場合には、図１２Ｅに示すように、点音源としてのスピーカー２ａを、図１２Ｅにおいて点線で示したように、ディスプレイの裏側であって、当該ディスプレイの左側と右側と、当該ディスプレイの上端側とに、その放音面をディスプレイの表示画面とは反対側に向けるようにして設けている。
【０１１３】
この場合、ディスプレイの左側に配置されたスピーカーによって、左チャンネルの音声を再生し、ディスプレイの右側に配置されたスピーカーによって、右チャンネルの音声を再生する。さらに、ディスプレイの上端側に配置されたスピーカーによって、センターチャンネルの音声を再生する。
【０１１４】
この場合においても、各スピーカー２ａに対して、図１に示した態様で半楕円体１Ｌ（左チャンネル用）、１Ｒ（右チャンネル用）、１Ｃ（センターチャンネル用）を設けるようにしている。すなわち、スピーカー２ａの振動板部分の中心を半楕円体１Ｌ、１Ｒ、１Ｃの一方の焦点に一致するようにして、半楕円体１Ｌ、１Ｒ、１Ｃを設けるようにしている。
【０１１５】
これにより、いわゆるサラウンド音声を再生する場合においても、基本となる左チャンネル、右チャンネル、センターチャンネルの音声を、この発明によるスピーカー装置によって再生するようにすることが可能である。
【０１１６】
なお、リアチャンネル用のスピーカーは、別途も受けられるスピーカーをリスナーの後方に配置すれば良いし、サブウーハーについても、別途設けるようにすれば良い。また、サブウーハーについては、この発明のスピーカー装置によってテレビ受像機３０の適宜に位置に設けるようにしてもよい。
【０１１７】
また、センターチャンネル用のスピーカーについては、図１２Ｆに示すように、テレビ受像機３０の下端部側に設けるようにすることもできる。また、図１２Ｅ、Ｆにおいて、ディスプレイの左右のスピーカー位置は、ディスプレイの上端側に設けるようにしているが、これに限るものではない。ディスプレイの左右の中央部分や下端側など適宜の位置に設けるようにすることができる。
【０１１８】
［テレビ受像機への適用例２］
図１３は、テレビ受像機に、上述した第２の実施の形態のスピーカー装置を搭載した場合の例を説明するための図である。
【０１１９】
この例の場合にも、図１３Ａに示すように、テレビ受像機３０において、ディスプレイの表示画面の反対側の面にスピーカー１２ａを設け、このスピーカー１２ａに対して、半楕円柱１１を設けるようにしている。
【０１２０】
図１３Ｂに示す例では、線音源としてのスピーカー１２ａを、図１３Ｂにおいて点線で示したように、ディスプレイの裏側であって、当該ディスプレイの左右に、その放音面をディスプレイの表示画面とは反対側に向けるようにして設けている。
【０１２１】
また、図１３Ｃに示す例では、線音源としてのスピーカー１２ａを、図１３Ｃにおいて点線で示したように、ディスプレイの裏側であって、当該ディスプレイの上端部分に、その放音面をディスプレイの表示画面とは反対側に向けるようにして設けている。
【０１２２】
また、図１３Ｄに示す例では、線音源としてのスピーカー１２ａを、図１３Ｄにおいて点線で示したように、ディスプレイの裏側であって、当該ディスプレイの下端部分に、その放音面をディスプレイの表示画面とは反対側に向けるようにして設けている。
【０１２３】
そして、それらのスピーカー１２ａに対して、図８Ｂ、図９に示した態様で半楕円柱１１Ｌ（左チャンネル用）、１１Ｒ（右チャンネル用）を設けるようにしている。すなわち、スピーカー１２ａの振動板部分の長手方向に沿う中心線を半楕円柱１１Ｌ、１１Ｒの一方の焦点位置に一致するようにして、半楕円柱１１Ｌ、１１Ｒを設けるようにしている。
【０１２４】
これにより、図１３Ｂ、Ｃ、Ｄに示したテレビ受信機３０の場合には、図８Ｂ、図９を用いて説明したように、スピーカー１２ａから放音された音声は、半楕円柱１１Ｌ、１１Ｒの内壁面に反射される。そして反射された音声は、他方の焦点位置に集中して、半楕円柱１１Ｌ、１１Ｒの外部に放音するようにされる。
【０１２５】
この場合、スピーカー１２ａから放音された音声と、半楕円柱１１Ｌ、１１Ｒで反射され、他方の焦点部分を仮想音源として放音するようにされた音声とは、周波数特性、位相特性、指向特性が同じである。これにより、ユーザーは良好に再生音声を聴取することができるようにされる。
【０１２６】
また、いわゆるサラウンド音声を再生する場合には、図１３Ｅに示すように、線音源としてのスピーカー１２ａを、図１３Ｅにおいて点線で示したように、ディスプレイの裏側であって、当該ディスプレイの左側と右側と、当該ディスプレイの上端側とに、その放音面をディスプレイの表示画面とは反対側に向けるようにして設けている。
【０１２７】
この場合、ディスプレイの左に配置されたスピーカーによって、左チャンネルの音声を再生し、ディスプレイの右に配置されたスピーカーによって、右チャンネルの音声を再生する。さらに、ディスプレイの上端側に配置されたスピーカーによって、センターチャンネルの音声を再生する。
【０１２８】
この場合においても、各スピーカー１２ａに対して、図８Ｂ、図９に示した態様で半楕円柱１１Ｌ（左チャンネル用）、１１Ｒ（右チャンネル用）、１１Ｃ（センターチャンネル用）を設けるようにしている。
【０１２９】
すなわち、スピーカー１２ａの振動板部分の長手方向に沿う中心線を半楕円柱１１Ｌ、１１Ｒ、１１Ｃの一方の焦点位置に一致するようにして、各スピーカー１２ａに対して半楕円柱１１を設けるようにしている。
【０１３０】
これにより、いわゆるサラウンド音声を再生する場合においても、基本となる左チャンネル、右チャンネル、センターチャンネルの音声を、この発明によるスピーカー装置によって再生するようにすることが可能である。
【０１３１】
なお、この例においても、リアチャンネル用のスピーカーは、別途も受けられるスピーカーをリスナーの後方に配置すれば良いし、サブウーハーについても別途設けるようにすればよい。また、サブウーハーについては、この発明のスピーカー装置によってテレビ受像機３０の適宜に位置に設けるようにしてもよい。
【０１３２】
また、センターチャンネル用のスピーカーについては、図１３Ｆに示すように、テレビ受像機３０の下端部側に設けるようにすることもできる。
【０１３３】
［可動式の半楕円柱、半楕円体］
図１１、図１２、図１３を用いて説明した電子機器の場合には、半楕円体１や半楕円柱１１は、可動しないものとして説明した。すなわち、半楕円体１や半楕円柱１１は、電子機器筐体から突出するように設けられて使用される。
【０１３４】
しかし、スピーカーを使用しない場合や電子機器を移動する場合などにおいては、電子機器筐体から突出するようにされる半楕円体１や半楕円柱１１が邪魔になる場合もあると考えられる。
【０１３５】
そこで、半楕円体１や半楕円柱１１を可動式に構成することにより、スピーカーを使用しない場合や電子機器を移動する場合において、半楕円柱１や半楕円体１１を電子機器の筐体側に収納するようにすることができる。
【０１３６】
図１４は、半楕円柱１１を電子器機器（例えばテレビ受像機３０）に対して可動できるように設けた場合の例を説明するための図である。図１４において、図１４Ａ、Ｂは、いわゆる引き戸式に可動可能な半楕円柱１１を、図１４Ｃ、Ｄは、開き戸式に可動可能な半楕円柱１１を説明するための図である。
【０１３７】
すなわち、引き戸式の場合には、図１４Ａがテレビ受像機３０の筐体側に半楕円柱１１が収納された状態を示しており、図１４Ｂがテレビ受像機３０の筐体から突出するように半楕円柱１１が引き出された状態を示している。
【０１３８】
また、開き戸式の場合には、図１４Ｃがテレビ受像機３０の筐体側に半楕円柱１１が収納された状態を示しており、図１４Ｄがテレビ受像機３０の筐体から突出するように半楕円柱１１が閉じるようにされた状態を示している。
【０１３９】
このように、半楕円柱１１を電子機器の筐体に対して可動可能なように取り付けておくことにより、スピーカーの使用時にのみ、半楕円柱１１を電子機器の筐体から突出させて、使用することができるようにされる。
【０１４０】
なお、ここでは、半楕円柱１１を可動式にした場合について説明したが、半楕円体１の場合にも、ほぼ同様に、電子機器の筐体に対して、引き戸式の態様で可動可能に取り付けたり、開き戸式の態様で可動可能に取り付けたりすることができる。
【０１４１】
また、半楕円柱１や半楕円体１１を電子機器の筐体に対して着脱可能に構成しておくこともできる。この場合、例えば、電子機器の移動時には、半楕円体１や半楕円柱１１を電子機器の筐体から取り外すことによって、移動の邪魔になるなどのことが無いようにすることもできる。
【０１４２】
［点音源と線音源の混在］
なお、上述した実施の形態では、点音源のスピーカー２ａを用いたスピーカー装置と、線音源のスピーカー１２ａを用いたスピーカー装置とのそれぞれを説明した。しかし、これに限るものではない。点音源のスピーカーと線音源のスピーカーとの両方を用いるようにすることもできる。
【０１４３】
図１５、図１６は、点音源のスピーカーと線音源のスピーカーとの両方を用いたスピーカー装置の構成例を説明するための図である。まず、第１の例は、図１５に示すように、基本的な構成は、図８Ｂに示したスピーカー装置の場合と同様に、スピーカー部と半楕円柱１１とによって構成される。
【０１４４】
しかし、図１５に示したように、スピーカー部には、線音源のスピーカー１６ａ、１６ｃと、点音源のスピーカー１６ｂとが設けられるようにされている。そして、線音源のスピーカー１６ａ、１６ｃでは、中低音域の音声を再生し、点音源のスピーカー１６ｂでは、高音域の音声を再生すると言うように、スピーカーを使い分けるようにすることができる。
【０１４５】
なお、前述したように、楕円反射による点音源のスピーカーの仮想音源の形成には、半楕円体の内壁に放音音声を反射させることが理想的である。そのため、第２の例として、点音源のスピーカーと線音源のスピーカーとの両方を用いたスピーカー装置の場合は、例えば、図１６に示すように、半楕円柱１１ａと半楕円体１１ｂとを複合させた反射壁を用いるようにする。
【０１４６】
図１６に示したように構成した方が、実スピーカーからの音声と同一な音源を形成するためには理想的である。なお、この場合、半楕円柱１１ａと半楕円体１１ｂとを別々に形成し、これを組み合わせるようにしてもよいし、半楕円柱１１ａ部分と、半楕円体１１ｂ部分とを一体的に形成するようにしてもよい。
【０１４７】
［第４の実施の形態（スピーカー装置を設けた携帯電話端末の具体例）］
次に、第４の実施の形態として、上述した第１の実施の形態のスピーカー装置を搭載した携帯電話端末の具体例について説明する。
【０１４８】
図１７は、携帯電話端末に、上述した第１の実施の形態のスピーカー装置を搭載した場合の例を説明するための図である。
【０１４９】
携帯電話端末もまた、小型化、薄型化、軽量化が進められ、また、比較的に表示画面の大きな表示素子を搭載することが一般的になってき手いる。この結果、携帯電話端末においても、受話器としてのスピーカーを搭載する位置、搭載可能なスピーカーの大きさなどが大きく制限されるようになってきている。
【０１５０】
そこで、この第４の実施の形態では、携帯電話端末において、ディスプレイの表示画面の反対側にスピーカーを設け、このスピーカーに対して、半楕円体や半楕円柱を設けるようにしている。
【０１５１】
この第４の実施の形態の携帯電話端末４０においては、図１７において点線で示したように、点音源のスピーカー２ａが、携帯電話端末４０の筐体内部の上端側に、その放音面をディスプレイの表示画面とは反対の方向に向けて配置するようにされている。
【０１５２】
このスピーカー２ａに対しては、音声の反射板としての半楕円体１が設けられる。そして、携帯電話端末４０を電話端末として使用しない場合には、図１７Ａ、Ｂにおいて点線で示したように、半楕円体１は、携帯電話端末４０の筐体内に収納するようにされている。
【０１５３】
したがって、携帯電話端末４０を電話端末として使用していない場合（通話を行うようにしていない場合）には、半楕円体１が携帯電話端末４０の筐体の外側に突出することは無いので、半楕円体１が邪魔になることもない。
【０１５４】
そして、電話をかける場合や電話がかかって来たときには、携帯電話端末４０の筐体内に収納されている半楕円体１を、図１７Ｃ、Ｄに示すように、携帯電話端末４０の筐体内部から引き出すようにする。
【０１５５】
図１７Ｃ、Ｄに示したように、半楕円体１を携帯電話端末４０の筐体内から引き出した状態になった場合に、内蔵されたスピーカー２ａの振動板部分の中心が、半楕円体１の一方の焦点に一致する位置に位置付けられるようになっている。
【０１５６】
これにより、スピーカー２ａは携帯電話端末４０の筐体内にあるにもかかわらず、そのスピーカー２ａから放音された音声は、筐体から突出するように引き出された半楕円体１の他方の焦点位置から放音されているように聴取することができるようにされる。
【０１５７】
すなわち、スピーカー２ａから放音された音声は、半楕円体１の内壁面に反射され、他方の焦点に集中して、半楕円体１の外部に放音するようにされる。これにより、携帯電話端末４０の筐体内部にあるスピーカー２ａから放音された音声を良好に聴取することができるようにされる。
【０１５８】
したがって、受話器としてのスピーカーの放音面を、携帯電話端末４０の表面に設けるようにすることも無いので、スピーカーの設置位置に柔軟性を持たせることができるようにされる。
【０１５９】
なお、ここではスピーカー装置について説明したが、スピーカー装置はマイクロホンとほぼ同様の構成を持っている。このため、この発明をマイクロホンについて適用することもできる。
【０１６０】
すなわち、携帯電話端末４０の筐体の下側からも、スピーカー２ａに対して設けた半楕円体１と同様に突出させることができるようにしておく。そして、携帯電話端末４０の筐体内の下側にマイクロホンを設ける。この場合、筐体内に設けられるマイクロホンは、携帯電話端末４０の筐体下側から突出させた半楕円体１の一方の焦点に一致する位置に設けるようにする。
【０１６１】
そして、通話を行う場合に、携帯電話端末４０の筐体下側に突出させた半楕円体１の他方の焦点部分に向けてユーザーの口から発せられる音声を放音するようにする。この場合、半楕円体１の他方の焦点部分に発せられたユーザーの話音声は、半楕円体１の内壁面に反射して、一方の焦点、すなわち、マイクロホンが位置する焦点に向って集中する。
【０１６２】
これにより、送話器としてのマイクロホンが、携帯電話端末４０の筐体の外部にその集音面を露呈させて設けるようにしなくても、ユーザーの話音声を内蔵マイクロホンに向って集音することができるようにされる。
【０１６３】
このように、第１の実施の形態のスピーカー装置は、携帯電話端末にも適用できる。そして、この発明は、スピーカーと同様の構成を有するマイクロホンを用いたマイクロホン装置としても応用することができる。
【０１６４】
また、図１１〜図１４、図１７に示した電子機器においても、半楕円体１や半楕円柱１１を例えば、ガラス、アクリル樹脂、ポリカーボネイト樹脂などの透明な素材を用いて形成することにより、そのデザイン性を向上させることができる。
【０１６５】
［実施の形態の効果］
楕円曲面を形成する反射体による音声の反射を利用し、仮想音源を形成することで、リスナー（聴取者）から見えない位置にスピーカーを配置しても、高音質な音声の再生が可能なスピーカー装置を実現できる。
【０１６６】
また、反射体を透明な素材で形成することによって、リスナー（聴取者）がスピーカーとして認識しえない、透明なスピーカーを実現できる。
【０１６７】
［その他］
なお、上述した実施の形態においては、点音源としてのスピーカー２ａは筐体２ｂに収納し、線音源としてのスピーカー１２ａは筐体１２ｂに収納することによって、スピーカー２ａ、１２ａの後ろ側から放音される音声を、外部に漏らさない構成とした。
【０１６８】
しかし、これに限るものではない。スピーカー２ａ、１２ａが設置可能な構成の場合、スピーカー２ａ、１２ａの裏側からの音声を、外部に放音するように、後方を開放する構成とすることもできる。
【０１６９】
これにより、スピーカー２ａ、１２ａの後方からの音声についても、リスナーに提供することができ、従来にない再生音場を形成することができる。
【０１７０】
また、半楕円体１や半楕円柱１１の内壁面を例えば鏡面に加工することによって、デザイン性の向上を図ることができる。
【０１７１】
また、半楕円体１や半楕円柱１１の内壁面に例えば、フエルトや布などの繊維を付着させるように加工することにより、高音域の音声を幾分吸収できるようにして、周波数特性を若干変化させるようにすることも可能である。
【０１７２】
また、図１０を用いて説明したように、ＬＥＤなどの発光素子を用いる場合には、半楕円体１や半楕円柱１１の内壁面に傷や模様を刻み込むようにすることにより、その部分に発光素子からの光を集中させるようにするなどの効果を得るようにすることも可能である。
【０１７３】
また、上述した実施の形態においては、この発明をノート型パーソナルコンピュータ、テレビ受像機、携帯電話端末に適用した例について説明したが、適用可能な電子機器は、それらに限られるものではない。
【０１７４】
例えば、ゲーム機、種々の音楽再生装置など、音声信号を再生して放音する種々の電子機器にこの発明のスピーカー装置を適用することができる。
【符号の説明】
【０１７５】
１…半楕円体、２…スピーカー部、２ａ…スピーカー（点音源）、２ｂ…スピーカー筐体、３…仮想音源、１１…半楕円柱、１２…スピーカー部、１２ａ…スピーカー（線音源）、１３…仮想音源、ＦＡ、ＦＢ…焦点、２０…ノートパーソナルコンピュータ、３０…テレビ受像機、４０…携帯電話端末
【図１】
2010268018.tif 000003
【図２】
2010268018.tif 000004
【図３】
2010268018.tif 000005
【図４】
2010268018.tif 000006
【図５】
2010268018.tif 000007
【図６】
2010268018.tif 000008
【図７】
2010268018.tif 000009
【図８】
2010268018.tif 000010
【図９】
2010268018.tif 000011
【図１０】
2010268018.tif 000012
【図１１】
2010268018.tif 000013
【図１２】
2010268018.tif 000014
【図１３】
2010268018.tif 000015
【図１４】
2010268018.tif 000016
【図１５】
2010268018.tif 000017
【図１６】
2010268018.tif 000018
【図１７】
2010268018.tif 000019